(57)【特許請求の範囲】
【請求項１】
箱型のボディ内に後記ファン装置の作動によって外気を吸引し、この外気を、散水パイプから散水され、冷却エレメントによって形成される水の膜の中をくぐらせることによって冷却する気化放熱式空気冷却装置と、前記気化放熱式空気冷却装置の下部に連設する送風ダクトと、前記送風ダクトの側面に開設した吸気口の内側に設け、垂直方向回動自在に枢着すると共にばねをもって常時吸気口を閉塞するよう附勢し、暖房時において適宜の開放手段をもって吸気口を開放するようになしたダンパーと、前記送風ダクト内における前記ダンパーの下部に配設し、ファンの回転によって上方の空気を吸引して下方に送出するファン装置と、前記送風ダクトの下部に連設した送風ダクトの下部に配設し、箱型のケーシングと、該ケーシング内において垂直方向回動可能に保持すると共に前記気化放熱式空気冷却装置の作動時にあっては垂直位置を保持するようになした加熱本体とをもって構成するヒーターと、前記ヒーターにおけるケーシングの下部に連設する送風ダクトとからなる冷暖兼用ルーフファンであって、
前記気化放熱式空気冷却装置が、枠状のベースと、底部中央に送風口を設けた箱型のボディと、該ボディの頂部に被着するトップカバーと、前記ボディの吸気口の内側に配設され、後記散水パイプによって散水された水の膜を形成する冷却エレメントと、該冷却エレメントの内側に配設されるフィルターと、循環使用する水の濾過を行うためのクリーニングポンプと、水を循環させるための循環ポンプと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水するための散水パイプと、途中部にドレーン用バルブを設けた前記貯水槽内の水を排出するための排水パイプと、前記ボディに設けた水道水の給水口等をもって構成される気化放熱式空気冷却装置であり、
前記ヒーターが蒸気ヒーターであり、該蒸気ヒーターが、箱型のケーシングと、該ケーシング内において垂直方向回動可能に保持すると共に前記気化放熱式空気冷却装置の非作動時には水平位置を保持するようになした方形の支持枠の前後の位置に平行して、夫々その中央部に外方に向けて蒸気導通管を突設した蒸気タンクを固定すると共に、該蒸気タンク間に、これらの間において蒸気を流通させる多数の鋼管を平行して取り付け、更に該多数の鋼管に、これらと直交する多数の板状フィンを平行して取り付けてなる加熱本体部とをもって構成する蒸気ヒーターである冷暖兼用ルーフファン。
【発明の詳細な説明】
【技術分野】
【０００１】
本発明は冷暖兼用ルーフファンに関するものである。
【背景技術】
【０００２】
工場等の屋根に設置するルーフファンは、従来外気を吸引して屋内に送り込み、屋内の換気を行うことのみのために用いられている。
【０００３】
ところで、地球温暖化による影響で、夏期は温度が異常に高くなることが多い。しかし、従来のルーフファンは、単に外気を屋内に取り入れて循環させるだけであるから、外気自体が高温であると屋内の気温も高いままの状態となり、作業環境として好ましくない。また稼働している機械、装置に影響を及ぼす虞もある。このため、別途屋内冷却装置が必要となり、余分なコストがかかる
【０００４】
また、従来のルーフファンは、冬期は冷気を屋内に吹き込むことになるから、ファンの駆動を停止する。そして特に寒冷地にあっては屋内を適宜に保温するためにストーブ等の加温装置を設置しているのが実情である。しかし、ストーブ等の加温装置は床や壁面に設置しなければならず、作業スペースを狭めることになる。
【発明の開示】
【発明が解決しようとする課題】
【０００５】
本発明は上記の点に鑑みなされたものであって、空気の冷却手段と加熱手段とを一体的に組み込むことにより、夏期は換気しながら冷風を送り、冬期は屋内の作業スペースを狭めることなく暖房を行うことができるようになしたルーフファンを提供せんとするものである。
【課題を解決するための手段】
【０００６】
而して、本発明の要旨とするところは、箱型のボディ内に外気を吸引し、この外気を、散水パイプから散水され、冷却エレメントによって形成される水の膜の中をくぐらせることによって冷却する気化放熱式空気冷却装置と、前記気化放熱式空気冷却装置の下部に連設する送風ダクトと、前記送風ダクトの側面に開設した吸気口の内側に設け、垂直方向回動自在に枢着すると共に後記ファン装置の作動時に吸気口を開放するようになしたダンパーと、前記送風ダクト内における前記ダンパーの下部に配設し、ファンの回転によって空気を下方に送出するファン装置と、前記送風ダクトの下部に連設した送風ダクトの下部に配設し、箱型のケーシングと、該ケーシング内において垂直方向回動可能に保持すると共に前記気化放熱式空気冷却装置の作動時にあっては垂直位置を保持するようになした加熱本体とをもって構成するヒーターと、前記ヒーターにおけるケーシングの下部に連設する送風ダクトとからなる冷暖兼用ルーフファンにある。
【０００７】
また、上記構成における冷却手段としての気化放熱式空気冷却装置は、具体的には気化放熱式空気冷却装置が、枠状のベースと、底部中央に送風口を設けた箱型のボディと、該ボディの頂部に被着するトップカバーと、前記ボディの吸気口の内側に配設され、後記散水パイプによって散水された水の膜を形成する冷却エレメントと、該冷却エレメントの内側に配設されるフィルターと、循環使用する水の濾過を行うためのクリーニングポンプと、水を循環させるための循環ポンプと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水するための散水パイプと、途中部にドレーン用バルブを設けた前記貯水槽内の水を排出するための排水パイプと、前記ボディに設けた水道水の給水口等をもって構成されるものであり、この場合には、冷却効果に加えて除塵効果と適度の加湿効果とを期待することができるものである。
【０００８】
また、上記構成における加熱手段としてのヒーターとしては、蒸気、温水又は電気のいずれかの方式によるヒーターを用いるが、その内における蒸気ヒーターは、具体的には箱型のケーシングと、該ケーシング内において垂直方向回動可能に保持すると共に前記気化放熱式空気冷却装置の非作動時には水平位置を保持するようになした方形の支持枠の前後の位置に平行して、夫々その中央部に外方に向けて蒸気導通管を突設した蒸気タンクを固定すると共に、該蒸気タンク間に、これらの間において蒸気を流通させる多数の鋼管を平行して取り付け、更に該多数の鋼管に、これらと直交する多数の板状フィンを平行して取り付けてなる加熱本体部とをもって構成するものである。
【発明の効果】
【０００９】
本発明は上記の如き構成であるから、夏期は換気しながら冷風を送り、また冬期は屋内の作業スペースを狭めることなく暖房を行うことができるものである。そしてまた、これにより、従来の如き別途屋内の冷却や加温をするための装置が不要となり、その分コストを軽減することができるものである。
【００１０】
また、冷却手段を、枠状のベースと、底部中央に送風口を設けた箱型のボディと、該ボディの頂部に被着するトップカバーと、前記ボディの吸気口の内側に配設され、後記散水パイプによって散水された水の膜を形成する冷却エレメントと、該冷却エレメントの内側に配設されるフィルターと、循環使用する水の濾過を行うためのクリーニングポンプと、水を循環させるための循環ポンプと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水するための散水パイプと、途中部にドレーン用バルブを設けた前記貯水槽内の水を排出するための排水パイプと、前記ボディに設けた水道水の給水口等をもって構成するようになした場合には、冷房効果に加えて除塵効果と適度の加湿効果とを期待することができるものである。
【発明を実施するための最良の形態】
【００１１】
本発明を実施するための最良の形態は、ボディ内に外気を吸引し、この外気を、散水パイプから散水され、冷却エレメントによって形成される水の膜の中をくぐらせることによって冷却する気化放熱式空気冷却装置の下部に送風ダクトを連設し、該送風ダクトの側面に開設した吸気口の内側に、垂直方向に回動するダンパーを設けると共に該ダンパーの下部にファン装置を配設し、更に前記送風ダクトの下部に送風ダクトを連設すると共に該送風ダクトの下部に蒸気ヒーターを配設することにある。また、該蒸気ヒーターは、蒸気の熱を利用して鋼管及びこれに取り付けた多数の板状フィンを加熱し、空気を該板状フィンを通過させて加熱するものであり、最後に該蒸気ヒーターの下部に連設した送風ダクトから屋内に送り出すものである。
【実施例】
【００１２】
以下、本発明の実施例について説明する。
図１は本発明の実施例の一部切欠して示した正面図、図２は同側面図、図３は冷却手段としての気化放熱式空気冷却装置の一部切欠して示した正面図、図４は同側面図、図５は同一部切欠して示した平面図、図６は本発明の下部側部分の正面図、図７は同側面図、図８は加熱手段としての蒸気ヒーターの正面図、図９は同左側面図、図１０は同右側面図、図１１は一部省略して示した同平面図、図１２は加熱手段としての蒸気ヒーターの固定部分の断面図である。
【００１３】
図中、１はルーフファンである。２は前記ルーフファン１を構成する冷却手段としての気化放熱式空気冷却装置である。また、該気化放熱式空気冷却装置２は、ボディ内に後記ファンにより外気を吸引し、その際冷却エレメントによって水の膜の中をくぐらせることにより気化放熱するものである。また、該気化放熱式空気冷却装置２は、枠状のベース３と、底部中央に送風口４ａを設けた箱型のボディ４と、該ボディ４の頂部に被着するトップカバー５と、前記ボディ４の吸気口の内側に配設され、後記散水パイプによって散水された水の膜を形成する冷却エレメント６、６と該冷却エレメント６、６の内側に配設されるフィルター７、７と、循環使用する水の濾過を行うためのクリーニングポンプ８と、水を循環させるための循環ポンプ９と、前記ボディ４の吸気口の外側に配設される吸気ルーバーパネル１０、１０と、前記ボディ４内の底部における前記冷却エレメント６、６の下部位置に設けた貯水槽１１と、該貯水槽１１内の水の溢れ出しを防ぐフロートバルブ１２と、前記冷却エレメント６、６に散水するための散水パイプ１３と、途中部にドレーン用バルブ１４を設けた前記貯水槽１１内の水を排出するための排水パイプ１５と、前記ボディ４に設けた水道水の給水口１６等とをもって構成される。尚、この他に貯水槽１１中の水の腐敗やバクテリア等の繁殖を防ぐための薬液の注入装置（図示せず。）も場合によって配設される。
【００１４】
該気化放熱式空気冷却装置２は、後記送風ダクト内に配設したファンの回転によってボディ４内に外気を吸引し、この外気を、散水パイプ１３から散水され、冷却エレメント６、６によって形成される水の膜の中をくぐらせることによって冷却するものである。そして冷却された空気は送風ダクトを経て下方に送り込まれるものである。また、外気が水の膜をくぐるときに、冷却と共に除塵することができ、そして更に適度に加湿することもできるものである。
【００１５】
１７、１８は前記冷却手段としての気化放熱式空気冷却装置２の下部に連設される送風ダクトである。尚、該送風ダクト１７は、図においては中間部分を省略している。
【００１６】
１９、１９は前記送風ダクト１８の側面に開設した吸気口２０、２０の内側に設けられたダンパーである。また、該ダンパー１９、１９は、垂直方向回動自在に枢着されると共に、ばね（図示せず。）をもって常時吸気口２０、２０を閉塞するよう附勢されている。そしてまた、該ダンパー１９、１９は、ワイヤー２１とプーリ（図示せず。）を介して屋内の適所に設置された操作装置（図示せず。）に接続され、適時開閉されるものである。尚、該ダンパー１９、１９は、開放状態のときには上側の送風ダクト１７を閉塞するように構成することが望ましい。
【００１７】
２２は前記送風ダクト２８内において前記ダンパー１９、１９の下部に配設されたファン装置であり、モータステー２３、２３をもって送風ダクト１８内の中央部に配設されたファン駆動モータ２４によってファン２５を水平方向に回転駆動させるものである。
【００１８】
２６は前記送風ダクト１８の下部に連設された送風ダクトである。２７は前記送風ダクト２６の下部に配設された、加熱手段としての蒸気ヒーターである。また、該蒸気ヒーター２７は、前記送風ダクト２６の下部に接続される上下一対の箱型のケーシング２８、２９と、該ケーシング２８、２９内において垂直方向回動可能に保持すると共にハンドル３０ａによって回動させるようになした方形の支持枠３０の前後の位置に平行して、夫々その中央部に外方に向けて蒸気導通管３１、３２を突設した蒸気タンク３３、３４を固定すると共に、該蒸気タンク３３、３４間に、これらの間において蒸気を流通させる多数の鋼管３５、３５、・・・を平行して取り付け、更に該多数の鋼管３５、３５・・・に、これらと直交する多数の板状フィン３６、３６・・・を平行して取り付けてなる加熱本体部３７とをもって構成される。そして該加熱本体部３７は、ハンドル３０ａをもって支持枠３０を回動させることによって一体的に垂直位置（送風ダクト２６からの送風を下方に流通させる位置）と水平位置とに切り換えるものである。即ち、加熱を行わない夏期においては垂直位置に保持し、冬期において水平位置とするものである。尚、３８、３８はケーシング２８、２９に開閉自在に取り付けた点検扉である。
【００１９】
該蒸気ヒーター２７の作用について説明すると、蒸気導通管３１から所定温度の蒸気を給送すると、蒸気タンク３３内に流入した蒸気は多数の鋼管３５、３５・・・内を通ってもう一方の蒸気タンク３４に流入し、最後に蒸気導通管３２から排出されるものである。そして多数の鋼管３５、３５・・・は蒸気によって加熱され、更にこれらの鋼管３５、３５・・・の熱は板状フィン３６、３６・・・に伝達されるものである。そしてこれにより、ケーシング２８、２９内を通過する空気は、板状フィン３６、３６・・・を通過するときに加温されるものである。
【００２０】
３９は前記蒸気ヒーター２７におけるケーシング２９の下部に連設された送風ダクトである。
【００２１】
而して、夏期においては、蒸気ヒーター２７における加熱本体部３７を垂直位置とした状態において気化放熱式空気冷却装置２とファン装置２２とを同時に作動させて換気しながら冷風を送り、また冬期においては、ダンパー１９、１９を垂直方向に回動させて吸気口２０、２０を開放すると共に送風ダクト１７との空気の流通を遮断し、この状態においてファン装置２２を作動させ、吸引した空気を蒸気ヒーター２７における水平位置となした加熱本体部３７によって加熱し、暖房を行うものである。
【図面の簡単な説明】
【００２２】
【図１】本発明の実施例の一部切欠して示した正面図である。
【図２】図１に示した実施例の側面図である。
【図３】冷却手段としての気化放熱式空気冷却装置の一部切欠して示した正面図である。
【図４】冷却手段としての気化放熱式空気冷却装置の側面図である。
【図５】冷却手段としての気化放熱式空気冷却装置の一部切欠して示した平面図である。
【図６】図１に示した実施例の下部側部分の正面図である。
【図７】図１に示した実施例の側面図である。
【図８】加熱手段としての蒸気ヒーターの正面図である。
【図９】加熱手段としての蒸気ヒーターの左側面図である。
【図１０】加熱手段としての蒸気ヒーターの右側面図である。
【図１１】加熱手段としての蒸気ヒーターの一部省略して示した平面図である。
【図１２】加熱手段としての蒸気ヒーターの固定部分の断面図である。
【符号の説明】
【００２３】
１  ルーフファン
２  気化放熱式空気冷却装置
４  ボディ
４ａ  送風口
６、６  冷却エレメント
１１  貯水槽
１３  散水パイプ
１７、１８  送風ダクト
１９、１９  ダンパー
２２  ファン装置
２４  ファン駆動モータ
２５  ファン
２６  送風ダクト
２７  蒸気ヒーター
２８、２９  ケーシング
３７  加熱本体部
３９  送風ダクト
【図１】
0004783116.tif 000002
【図２】
0004783116.tif 000003
【図３】
0004783116.tif 000004
【図４】
0004783116.tif 000005
【図５】
0004783116.tif 000006
【図６】
0004783116.tif 000007
【図７】
0004783116.tif 000008
【図８】
0004783116.tif 000009
【図９】
0004783116.tif 000010
【図１０】
0004783116.tif 000011
【図１１】
0004783116.tif 000012
【図１２】
0004783116.tif 000013